(57)【要約】【課題】本発明は、青色光を用いて赤色光と緑色光を生成するカラー発光ダイオードを提供する。【解決手段】青色光を放出するように、青色発光材料をカソード層とアノード層との間に配置する。再発光層は、発光ダイオードの第１部分に配置されて青色光を赤色光に変換するための第１材料と、発光ダイオードの第部分に配置されて青色光を緑色光に変換するための第２材料とを有する。透明材料が発光ダイオードの第３部分に配置されることにより、一部の青色光が透明材料を透過して伝送されることができる。アノード層は、３つの電極セクションに区分けされ、３つの電極セクションが発光ダイオードの３つの部分にそれぞれ位置することにより、発光ダイオードの３つの部分における赤色光、緑色光及び青色光は、それぞれ制御されることができる。【選択図】図３Ｂ
2014160644.tif 000002
【特許請求の範囲】
【請求項１】
発光ダイオードであって、第１電極層と、第２電極層と、有機層と、再発光層とを含み、
前記有機層は、前記第１電極層と前記第２電極層との間に配置され、且つ第１波長を有する第１光線を放出し、前記第１光線が前記第２電極層を透過し、
前記再発光層は、前記第１光線の少なくとも一部を受光するように、前記第２電極層に隣接して配置され、前記第１光線を第２波長を有する第２光線に変換するための第１励起材料と、前記第１光線を第３波長を有する第３光線に変換するための第２励起材料とを含み、前記第３波長は、前記第２波長より波長が長く、前記第２波長は、前記第１波長より波長が長いことを特徴とする発光ダイオード。
【請求項２】
前記再発光層は、前記第１光線の少なくとも一部を伝送するための第３材料をさらに含むことを特徴とする請求項１に記載の発光ダイオード。
【請求項３】
前記第１波長は、４５０ｎｍ〜４８０ｎｍの波長範囲にあり、前記第２波長は、４９０ｎｍ〜５７０ｎｍの波長範囲にあり、前記第３波長は、５９０ｎｍ〜６５０ｎｍの波長範囲にあることを特徴とする請求項１に記載の発光ダイオード。
【請求項４】
前記第１波長は、４６０ｎｍ〜５２０ｎｍの波長範囲にあり、前記第２波長は、４９０ｎｍ〜５７０ｎｍの波長範囲にあり、前記第３波長は、５９０ｎｍ〜６５０ｎｍの波長範囲にあることを特徴とする請求項１に記載の発光ダイオード。
【請求項５】
前記再発光層は、前記第１光線を第４波長を有する第４光線に変換するための第３材料をさらに含み、前記第４波長は、前記第１波長より波長が長く、前記第２波長より波長が短いことを特徴とする請求項１に記載の発光ダイオード。
【請求項６】
前記第１波長は、３８０ｎｍ〜４７９ｎｍの波長範囲にあり、前記第２波長は、４９０ｎｍ〜５７０ｎｍの波長範囲にあり、前記第３波長は、５９０ｎｍ〜６５０ｎｍの波長範囲にあり、前記第４波長は、４１０ｎｍ〜４８０ｎｍの波長範囲にあることを特徴とする請求項５に記載の発光ダイオード。
【請求項７】
第１バリアと、第２バリアと、第１スイッチング素子と、第２スイッチング素子と、第３スイッチング素子とをさらに含み、
前記第１バリア及び前記第２バリアは、前記発光ダイオードを第１部分と、第２部分と、第３部分とに区分けするように配置され、
前記第１バリアは、前記再発光層における前記第１励起材料及び前記第２励起材料を分け隔てるように配置され、前記第１励起材料を前記第１部分に位置させ、前記第２励起材料を前記第２部分に位置させように用いられ、
前記第２バリアは、前記第２励起材料及び前記第３部分を分け隔てるように配置され、
前記第１バリア及び前記第２バリアは、さらに、前記第２電極層を前記第１部分における第１電極セクションと、前記第２部分における第２電極セクションと、前記第３部分における第３電極セクションとに区分けするように配置され、
前記第１スイッチング素子は、前記第１電極セクションに接続され、前記第２スイッチング素子は、前記第２電極セクションに接続され、前記第３スイッチング素子は、前記第３電極セクションに接続されることを特徴とする請求項１に記載の発光ダイオード。
【請求項８】
前記第３材料は、カラーフィルタを含むことを特徴とする請求項５に記載の発光ダイオード。
【請求項９】
表示パネルであって、基板と、前記基板に形成された複数の画素とを含み、前記各画素は発光ダイオードを含み、
前記発光ダイオードは、第１電極層と、第２電極層と、有機層と、再発光層とを含み、
前記有機層は、前記第１電極層と前記第２電極層との間に配置され、且つ第１波長を有する第１光線を放出し、前記第１光線が前記第２電極層を透過し、
前記再発光層は、前記第１光線の少なくとも一部を受光するように、前記第２電極層に隣接して配置され、前記第１光線を第２波長を有する第２光線に変換するための第１励起材料と、前記第１光線を第３波長を有する第３光線に変換するための第２励起材料とを含み、前記第３波長は、前記第２波長より波長が長く、前記第２波長は、前記第１波長より波長が長いことを特徴とする表示パネル。
【請求項１０】
前記発光ダイオードは、第１バリアと、第２バリアと、第１スイッチング素子と、第２スイッチング素子と、第３スイッチング素子とをさらに含み、
前記第１バリア及び前記第２バリアは、前記発光ダイオードを第１部分と、第２部分と、第３部分とに区分けするように配置され、
前記第１バリアは、前記再発光層における前記第１励起材料及び前記第２励起材料を分け隔てるように配置され、前記第１励起材料を前記第１部分に位置させ、前記第２励起材料を前記第２部分に位置させるように用いられ、
前記第２バリアは、前記第２励起材料及び前記第３部分を分け隔てるように配置され、
前記第１バリア及び前記第２バリアは、さらに、前記第２電極層を前記第１部分における第１電極セクションと、前記第２部分における第２電極セクションと、前記第３部分における第３電極セクションとに区分けするように配置され、
前記第１スイッチング素子は、前記第１電極セクションに接続され、前記第２スイッチング素子は、前記第２電極セクションに接続され、前記第３スイッチング素子は、前記第３電極セクションに接続されることを特徴とする請求項９に記載の表示パネル。
【請求項１１】
前記第１光線の少なくとも一部を伝送するように配置され、前記第３部分に位置するカラーフィルタをさらに含むことを特徴とする請求項１０に記載の表示パネル。
【請求項１２】
発光ダイオードの製造方法であって、
基板に第１電極層と第２電極層とを提供する工程と、
第１波長を有する第１光線を放出するための有機層を、前記第１電極層と前記第２電極層との間に配置する工程と、
前記第２電極層に隣接する再発光層を配置する工程とを含み、
前記第１光線が前記第２電極層を透過し、
前記再発光層は、前記第１光線の少なくとも一部を受光し、前記第１光線を第２波長を有する第２光線に変換するための第１励起材料と、前記第１光線を第３波長を有する第３光線に変換するための第２励起材料とを含み、
前記第３波長は、前記第２波長より波長が長く、前記第２波長は、前記第１波長より波長が長いことを特徴とする発光ダイオードの製造方法。
【請求項１３】
前記発光ダイオードを第１部分と、第２部分と、第３部分とに区分けし、前記第２電極層を前記第１部分における第１電極セクションと、前記第２部分における第２電極セクションと、前記第３部分における第３電極セクションとに区分けするように、第１バリアと第２バリアとを提供する工程と、
前記再発光層における前記第１励起材料及び前記第２励起材料を分け隔て、前記第１励起材料を前記第１部分に位置させ、前記第２励起材料を前記第２部分に位置させるように、前記第１バリアを配置する工程と、
前記第２励起材料及び前記第３部分を分け隔てるように、前記第２バリアを配置する工程と、
前記第１電極セクションに接続される第１スイッチング素子と、前記第２電極セクションに接続される第２スイッチング素子と、前記第３電極セクションに接続される第３スイッチング素子とを提供する工程とをさらに含むことを特徴とする請求項１２に記載の発光ダイオードの製造方法。
【請求項１４】
前記第１光線の少なくとも一部を伝送するように配置され、前記第３部分に位置するカラーフィルタを提供する工程をさらに含むことを特徴とする請求項１３に記載の発光ダイオードの製造方法。
【発明の詳細な説明】
【技術分野】
【０００１】
本発明は、カラー発光ダイオードに関し、特に、赤色、緑色、青色の３色光を発光できる発光ダイオードに関する。
【背景技術】
【０００２】
発光ダイオード（ＬＥＤ）及び有機発光ダイオード（ＯＬＥＤ）は、カラー表示パネルの製造に用いられている。液晶ディスプレイと同様に、ＯＬＥＤディスプレイは、３つの主要な色である赤色、緑色及び青色に基づいてカラー画像を生成する。ＯＬＥＤディスプレイにおける１つのカラー画素は、赤色サブ画素、緑色サブ副画素及び青色サブ画素によって構成可能である。一般に、ＯＬＥＤ材料の輝度は、電流にほぼ比例するため、電流を制御することにより、異なる色や濃淡が達成される。液晶ディスプレイに対して、ＯＬＥＤディスプレイの利点は以下の通りである。液晶ディスプレイにおける画素は、バックライトユニットにより供給された光を主に画素から射出させるライトバルブとして作用するのに対して、ＯＬＥＤは、直接に発光することができる。従って、ＬＥＤ／ＯＬＥＤパネルは、一般に、液晶表示パネルより薄く製造できる。また、液晶パネルにおける液晶分子が遅い応答速度を持つことが知られている。液晶ディスプレイが対応するシステムに対して、ＯＬＥＤディスプレイは、広い視野角、高いコントラスト比及び良い電力効率を有する。
【０００３】
典型的なカラー表示パネルは、データドライバ及びゲートドライバによって駆動される、２次元マトリクスに配置された複数の画素を有している。図１に示すように、表示領域１００において、表示パネル１における複数の画素１０は、行と列に配置されている。データドライバ２００は、各列にデータ信号を提供するために用いられ、ゲートドライバ３００は、各行にゲートライン信号を提供するために用いられている。一般に、カラー表示パネルにおいて、赤色（Ｒ）、緑色（Ｇ）、青色（Ｂ）の３つの色によって画像が表示される。一般に、各画素１０は、赤色サブ画素、緑色サブ画素及び青色サブ画素の３つのカラーサブ画素に分けられている。
【先行技術文献】
【特許文献】
【０００４】
【特許文献１】台湾特許第３６６７１３号
【特許文献２】台湾特許公開第２０１２０５５４２号
【特許文献３】米国特許出願公開第２０１０／００３９５８７号明細書
【特許文献４】米国特許第７６５６４７６号明細書
【特許文献５】米国特許出願公開第２０１１／０２６１３０３号明細書
【発明の概要】
【０００５】
本発明は、ＲＧＢサブ画素を有するカラー画素及びその製造方法に関するものである。
【０００６】
本発明は、青色光を用いて赤色光と緑色光を生成するカラー発光ダイオードを提供する。本発明の一実施例において、青色光を放出するように、青色発光材料をカソード層とアノード層との間に配置する。再発光層は、発光ダイオードの第１部分に配置されて青色光を赤色光に変換するための第１材料と、発光ダイオードの第２部分に配置されて青色光を緑色光に変換するための第２材料とを有する。透明材料が発光ダイオードの第３部分に配置されることにより、一部の青色光が透明材料を介して伝送されることができる。アノード層は、３つの電極セクションに区分けされる。３つの電極セクションが発光ダイオードの３つの部分にそれぞれ位置することにより、発光ダイオードの３つの部分における赤色光、緑色光及び青色光は、それぞれ制御されることができる。
【０００７】
そこで、本発明の第１の態様は、発光ダイオードであって、第１電極層と、第２電極層と、有機層と、再発光層とを含む。有機層は、第１電極層と第２電極層との間に配置され、且つ第１波長を有し第２電極層を透過する第１光線を放出する。再発光層は、第１光線の少なくとも一部を受光するように、第２電極層に隣接して配置されるとともに、第１光線を、第１波長より波長の長い第２波長を有する第２光線に変換するための第１励起材料と、第１光線を、第２波長より波長の長い第３波長を有する第３光線に変換するための第２励起材料とを含む。第１波長は、４５０ｎｍ〜４８０ｎｍの波長範囲にあり、第２波長は、４９０ｎｍ〜５７０ｎｍの波長範囲にあり、第３波長は、５９０ｎｍ〜６５０ｎｍの波長範囲にある。または、第１波長は、４６０ｎｍ〜５２０ｎｍの波長範囲にあり、第２波長は、４９０ｎｍ〜５７０ｎｍの波長範囲にあり、第３波長は、５９０ｎｍ〜６５０ｎｍの波長範囲にある。
【０００８】
本発明の発光ダイオードは、第１バリアと、第２バリアと、第１スイッチング素子と、第２スイッチング素子と、第３スイッチング素子とをさらに含む。第１バリア及び第２バリアは、発光ダイオードを第１ダイオード部分と、第２ダイオード部分と、第３ダイオード部分とに区分けするように配置される。第１バリアは、再発光層における第１励起材料及び第２励起材料を分け隔てるように配置され、第１励起材料を第１ダイオード部分に位置させ、第２励起材料を第２ダイオード部分に位置させるように用いられる。第２バリアは、第２励起材料及び第３ダイオード部分を分け隔てるように配置される。第１バリア及び第２バリアは、さらに、第２電極層を第１ダイオード部分における第１電極セクションと、第２ダイオード部分における第２電極セクションと、第３ダイオード部分における第３電極セクションとに区分けするように配置される。第１スイッチング素子は、第１電極セクションに接続され、第２スイッチング素子は、第２電極セクションに接続され、第３スイッチング素子は、第３電極セクションに接続される。
【０００９】
本発明の一実施例において、再発光層は、第１光線の少なくとも一部を伝送するための第３材料をさらに含む。本発明の他の実施例において、第３材料は、第４波長を有する第４光線を提供するように配置され、第４波長は、第１波長より波長が長く、第２波長より波長が短い。第３材料は、第１光線を第４光線に変換するためのカラーフィルムまたは励起材料であってもよい。第１波長は、３８０ｎｍ〜４７９ｎｍの波長範囲にある。第２波長は、４９０ｎｍ〜５７０ｎｍの波長範囲にある。第３波長は、５９０ｎｍ〜６５０ｎｍの波長範囲にある。第４波長は、４１０ｎｍ〜４８０ｎｍの波長範囲にある。
【００１０】
本発明の第２の態様は、表示パネルであって、基板と、基板に形成された複数の画素とを含む。各画素は、発光ダイオードを含む。発光ダイオードは、第１電極層と、第２電極層と、有機層と、再発光層とを含む。有機層は、第１電極層と第２電極層との間に配置され、且つ第１波長を有し第２電極層を透過する第１光線を放出する。再発光層は、第１光線の少なくとも一部を受光するように、第２電極層に隣接して配置されるとともに、第１光線を、第１波長より波長の長い第２波長を有する第２光線に変換するための第１励起材料と、第１光線を、第２波長より波長の長い第３波長を有する第３光線に変換するための第２励起材料とを含む。
【００１１】
本発明の第３の態様は、発光ダイオードを製造する方法であって、基板に第１電極層と第２電極層とを提供する工程と、第１波長を有し第２電極層を透過する第１光線を放出するための有機層を、第１電極層と第２電極層との間に配置する工程と、第２電極層に隣接する再発光層を配置する工程とを含み、第１光線の少なくとも一部を受光するように配置された再発光層は、第１光線を、第１波長より波長の長い第２波長を有する第２光線に変換するための第１励起材料と、第１光線を、第２波長より波長の長い第３波長を有する第３光線に変換するための第２励起材料とを含む。
【００１２】
上記方法は、発光ダイオードを第１ダイオード部分と、第２ダイオード部分と、第３ダイオード部分とに区分けし、第２電極層を第１ダイオード部分における第１電極セクションと、第２ダイオード部分における第２電極セクションと、第３ダイオード部分における第３電極セクションとに区分けするように、第１バリアと第２バリアとを提供する工程と、再発光層における第１励起材料及び第２励起材料を分け隔て、第１励起材料を第１ダイオード部分に位置させ、第２励起材料を第２ダイオード部分に位置させるように、第１バリアを配置する工程と、第２励起材料及び第３ダイオード部分を分け隔てるように、第２バリアを配置する工程と、第１電極セクションに接続される第１スイッチング素子と、第２電極セクションに接続される第２スイッチング素子と、第３電極セクションに接続される第３スイッチング素子とを提供する工程とをさらに含む。
【００１３】
本発明の一実施例において、上記方法は、第１光線の少なくとも一部を伝送するように、第３ダイオード部分に位置するカラーフィルタを提供する工程をさらに含む。
【図面の簡単な説明】
【００１４】
【図１】表示領域において行と列に配置された画素を有する典型的な表示パネルを示す図である。
【図２】本発明の一実施例に係るカラー画素を示す図である。
【図３Ａ】図２におけるカラー画素を示す断面図である。
【図３Ｂ】図３Ａにおけるカラー画素が発光している状態を示す概略断面図である。
【図４】図３Ａにおけるカラー画素の一部であるサブ画素の層構造を示す図である。
【図５】本発明の一実施例に係るカラーサブ画素に応用された量子ドットを示す概略断面図である。
【発明を実施するための形態】
【００１５】
本発明の様々な実施例によれば、ＯＬＥＤ画素において、同一の発光層は、全ての３色のサブ画素の光源として用いられる。図２に示すように、画素１０は、赤色（Ｒ）緑色（Ｇ）及び青色（Ｂ）の３色の光を生成するための３つのカラーサブ画素２２、２４及び２６を含む。各カラーサブ画素は、カラーサブ画素を有効にするためのスイッチング素子、例えば、薄膜トランジスタ（ＴＦＴ）を備える。図３Ａに示すように、画素１０は、第１基板４２、第１電極層４４、有機層４７、第２電極層５０、パッシベーション層５２、再発光層５４及び第２基板５６を含む。本発明の一実施例において、第１電極層４４は、カソード層を含み、第２電極層５０は、アノード層を含み、アノード層は、アノード部分５０１、５０２及び５０３を含む。有機層４７は、発光層４６及び正孔注入層４８を含む。発光層４６は、例えば、青色発光材料を含む。再発光層５４は、赤色発光材料を有する第１部分５４１及び緑色発光材料を有する第２部分５４２を含む。赤色発光材料は、発光層４６から放出された青色光を赤色光に変換するものであり、緑色発光材料は、発光層４６から放出された青色光を緑色光に変換するものである。再発光層５４は、第３部分５４３をさらに含む。第３部分５４３は、青色光に対して透明な材料を含むことができる。例えば、青色光の波長は、４５０ｎｍ〜４８０ｎｍの波長範囲にあり、緑色光の波長は、４９０ｎｍ〜５７０ｎｍの波長範囲にあり、赤色光の波長は、５９０ｎｍ〜６５０ｎｍの波長範囲にある。なお、第１基板４２は、保護層であってもよい。
【００１６】
本発明の他の実施例において、発光層４６は、波長が４６０ｎｍ〜５２０ｎｍの青緑色光を放出ための青緑色発光材料を含む。第３部分５４３は、波長が４６０ｎｍ〜５２０ｎｍの青緑色光透過用の材料を含んでもよいし、波長が４５０ｎｍ〜４８０ｎｍの青色光を伝送するための青色フィルタを含んでもよい。
【００１７】
本発明の異なる実施例において、発光層４６は、例えば、紫色発光材料を含む。再発光層５４は、赤色発光材料を有する第１部分５４１、緑色発光材料を有する第２部分５４２及び青色発光材料を有する第３部分５４３を含む。赤色発光材料は、発光層４６から放出された紫色光を赤色光に変換するものであり、緑色発光材料は、発光層４６から放出された紫色光を緑色光に変換するものであり、青色発光材料は、発光層４６から放出された紫色光を青色光に変換するものである。例えば、紫色光の波長は、３８０ｎｍ〜４５０ｎｍの波長範囲にあり、青色光の波長は、４５０ｎｍ〜４８０ｎｍの波長範囲にあり、緑色光の波長は、４９０ｎｍ〜５７０ｎｍの波長範囲にあり、赤色光の波長は、５９０ｎｍ〜６５０ｎｍの波長範囲にある。別の実施例において、紫色光の波長は、３８０ｎｍ〜４８０ｎｍの波長範囲にあり、第３部分５４３は、波長が４１０ｎｍ〜４８０ｎｍの青色光を伝送するための青色フィルタを含む。
【００１８】
各画素１０において、２つ以上の絶縁バリア（ＢＭ）６０によって画素１０を３色のカラーサブ画素２２、２４及び２６に区分けする。図３Ａ及び図３Ｂに示すように、第１バリア６０１は、カラーサブ画素２２と２４との間に配置され、第２バリア６０２は、カラーサブ画素２４と２６との間に配置される。図３Ａ、図３Ｂ及び図４に示すように、カラーサブ画素２２は、もう１つのバリア６００をさらに備える。しかし、少なくとも、第１電極層４４（陰極層として用いられる）は、カラーサブ画素２２、２４及び２６で共有することができる。本発明の一実施例によれば、カラーサブ画素２２、２４及び２６は、同一の有機層４７を有してもよい。本実施例において、カラーサブ画素２２、２４及び２６は、同一の発光層４６を有してもよい。発光層４６は、青色発光材料を含む。例えば、発光層４６は、三価金属キノリナート錯体、シッフベース二価金属錯体、金属アセチルアセトネート錯体、金属二座配位子錯体、ビスフォスフォネート、金属マレオントリレヂチオレート錯体、分子電荷移動錯体、芳香族と複素環ポリマー、及び希土類混合キレートなどの有機金属錯体を含んでもよい。カラーサブ画素２２、２４及び２６は、カラーサブ画素２２、２４及び２６を制御するために、例えば、薄膜トランジスタ（ＴＦＴ）５８１、５８２及び５８３のような３つのスイッチング素子を備える。各カラーサブ画素の輝度を個別に制御することができるように、各カラーサブ画素２２、２４、２６のアノード部分５０１、５０２、５０３は、それぞれ、スイッチング素子に接続される。図３Ｂに示すように、電圧が第１電極層４４と、各カラーサブ画素２２、２４及び２６におけるアノード部分５０１、５０２、５０３との間に印加されると、有機層４７から放出された一部の青色光３０１、３０２、３０３が再発光層５４に伝送される。カラーサブ画素２２、２４及び２６に印加する電圧によって、一部の青色光３０１の振幅や強度は、一部の青色光３０２及び一部の青色光３０３の振幅や強度と異なってもよいことを理解されたい。図４に示すように、カラーサブ画素２２は、赤色光を生成するために用いられる。そこで、カラーサブ画素２２の第１部分５４１は、一部の青色光３０１（図３Ｂ参照）を波長の長い光（波長範囲５９０ｎｍ〜６５０ｎｍ）３２に変換するための第１励起材料を含む。カラーサブ画素２２の第１部分５４１における第１励起材料は、１−エチル−２−［４−（ｐ−ジメチルアミノフェニル）−１，３−ブタジエニル］−ピリジニウム−パークロレート、または４−（ジシアノメチレン）−２−ｔｅｒｔ−ブチル−６−（１，１，７，７、−テトラメチル−１Ｈ，５Ｈ−ベンゾ[ij]キノリジン−９−エニル）−４Ｈ−ピランを含んでもよい。同様に、カラーサブ画素２４は、緑色光を生成するために用いられる。そこで、カラーサブ画素２４の第２部分５４２は、一部の青色光３０２（図３Ｂ参照）を波長の異なる光（波長範囲４９０ｎｍ〜５７０ｎｍ）３４に変換するための第２励起材料を含む。カラーサブ画素２４の第２部分５４２における第２励起材料は、８−ヒドロキシキノラートアルミニウム、８−ヒドロキシキノリノールアルミニウム、または３−（２’−ベンゾチアゾリル）−７��ジエチルアミノクマリンを含んでもよい。青色光３０は、４５０ｎｍ〜４８０ｎｍの波長範囲をカバーすることができるが、この範囲は４５０ｎｍ〜波長３８０ｎｍの紫色光領域に拡張することができる。
【００１９】
本発明の一実施例によれば、図３Ａに示した層状構造は、カラー有機発光ダイオードの動作原理を説明するためだけであることに留意すべきである。なお、画素は、例えば、正孔輸送層（ＨＴＬ）、電子輸送層（ＥＴＬ）のような他の層を含んでもよいことが理解される。また、画素１０は、アノード層が第１基板４２に隣接され、カソード層が薄膜トランジスタに接続されるように構成されてもよい。
【００２０】
第２電極層５０は、インジウムスズ酸化物、アルミニウムドープ酸化亜鉛、インジウムドープ酸化亜鉛、酸化スズ、インジウム酸マグネシウム、タングステン酸ニッケルもしくはスズ酸カドミウムなどの中から任意に選択される金属酸化物またはこれら金属酸化物の組み合わせによって形成されるものであってもよい。カソード層は、アルミニウム、銀もしくはマグネシウム−銀合金などの中から選択される金属または合金によって形成されるものであってもよい。
【００２１】
本発明の異なる実施例において、量子ドット（図５参照）は、再発光層５４において一部の青色光３０１、３０２、３０３を励起して光を生成するように用いられることができる。カラーサブ画素２２の第１部分５４１における量子ドットのサイズは、５９０ｎｍ〜６５０ｎｍの波長範囲の光を生成するように選択される。同様に、カラーサブ画素２４の第２部分５４２における量子ドットのサイズは、４９０ｎｍ〜５７０ｎｍの波長範囲の光を生成するように選択される。例えば、放出された紫色光をカラーサブ画素２６の第３部分５４３において青色光に変換する実施例において、第３部分５４３における量子ドットのサイズは、４５０ｎｍ〜４８０ｎｍの波長範囲の光を生成するように選択される。
【００２２】
以上をまとめると、本発明の様々な実施形態によれば、発光層は、比較的に短い波長の光線を生成するために用いられる。この比較的に短い波長の光線は、２つまたは３つの比較的に長い波長の光成分を生成するように、２つまたは３つの励起材料を励起するために用いられる。従って、本発明に係る発光ダイオードは、第１電極層と、第２電極層と、有機層と、再発光層とを含んでもよい。前記有機層は、前記第１電極層と前記第２電極層との間に配置され、且つ前記第２電極を透過し第１波長の放射光を放出する。前記再発光層は、前記第１波長の放射光の少なくとも一部を受光するように、前記第２電極層に隣接して配置され、前記第１波長の放射光を、第１波長より波長の長い第２波長の放射光に変換するための第１励起材料と、前記第１波長の放射光を、第２波長より波長の長い第３波長の放射光に変換するための第２励起材料とを含む。前記第１波長の放射光は、青色光であり、波長が４５０ｎｍ〜４８０ｎｍの波長範囲にあり、前記第２波長の放射光は、緑色光であり、波長が４９０ｎｍ〜５７０ｎｍの波長範囲にあり、前記第３波長の放射光は、赤色光であり、波長が５９０ｎｍ〜６５０ｎｍの波長範囲にある。本発明の他の実施例において、前記第１波長の放射光は、青緑色光であり、波長が４６０ｎｍ〜５２０ｎｍの波長範囲にある。
【００２３】
本発明の異なる実施形態において、前記再発光層は、第４波長を有する光線を放出ための第３励起材料をさらに含み、前記第４波長は、前記第１波長より波長が長く、前記第２波長より波長が短い。前記第１波長を有する光は、紫色光であり、波長が３８０ｎｍ〜４５０ｎｍの波長範囲にあり、前記第２波長を有する光は、緑色光であり、波長が４９０ｎｍ〜５７０ｎｍの波長範囲にあり、前記第３波長を有する光は、赤色光であり、波長が５９０ｎｍ〜６５０ｎｍの波長範囲にあり、前記第４波長を有する光は、青色光であり、波長が４１０ｎｍ〜４８０ｎｍ、または４５０ｎｍ〜４８０ｎｍの波長範囲にある。
【００２４】
本発明では、青色光源を赤色、緑色、青色の光線に変換する、または紫色光源の励起によって赤色、緑色、青色の光線に変換する有機発光ダイオードについて説明した。有機発光ダイオードにおいて、青色光源または上述した他の色を励起することによって、再発光された光線は２つ異なる色を有することができる。例えば、赤色光線及び緑色光線である。また、図２、図３Ａ及び図３Ｂは、例示のみを目的として説明するものである。カラーサブ画素２２，２４，２６を異なる順序、例えば、カラーサブ画素２２，２６，２４の順序で再配置することが可能である。また、３つのサブ画素２２、２４、２６は、必ずしも一列に配置されるわけではない。
【００２５】
以上、本発明の１つ以上の実施例を挙げ説明したが、当業者であれば、本発明の範囲を逸脱しない限り、本発明の実施例の形式及び詳細な内容に対して様々な変動や省略、潤色を加えられることを理解されたい。
【符号の説明】
【００２６】
１  表示パネル
１０  画素
１００  表示領域
２００  データドライバ
３００  ゲートドライバ
２２、２４、２６  カラーサブ画素
３２、３４、３６  光
４２  第１基板
４４  第１電極層
４６  発光層
４７  有機層
４８  正孔注入層
５０  第２電極層
５２  パッシベーション層
５４  再発光層
５６  第２基板
５０１、５０２、５０３  アノード部分
５４１  第１部分
５４２  第２部分
５４３  第３部分
６０  絶縁バリア
６０１  第１バリア
６０２  第２バリア
６００  バリア
５８１、５８２、５８３  薄膜トランジスタ
３０１、３０２、３０３  青色光
【図１】
2014160644.tif 000003
【図２】
2014160644.tif 000004
【図３Ａ】
2014160644.tif 000005
【図３Ｂ】
2014160644.tif 000006
【図４】
2014160644.tif 000007
【図５】
2014160644.tif 000008